(57)【要約】【課題】  光選択スイッチを使用せずに、複数の光信号のうち１つを選択して、電気信号に変換する。【解決手段】  光ファイバー２ａ、２ｂ、２ｃによって伝送された光信号が対応するフォトダイオード８ａ、８ｂ、８ｃに供給される。フォトダイオード８ａ乃至８ｃと負荷１０ａ、１０ｂ、１０ｃとが直列に接続され、光電変換器６ａ、６ｂ、６ｃを構成している。光電変換器６ａ、６ｂ、６ｃの一端は接地され、他端は切換スイッチ１２の各接点１２ａ乃至１２ｃに接続されている。切換スイッチ１２の接触子１２ｄがバッテリー１４の正極に接続され、負極は接地されている。切換スイッチ１２の操作によって１台の光電変換器６ａ乃至６ｃのうち動作したものが発生する電気信号が、１つの出力端子１８に供給される。  【選択図】        図１
2007110285.tif 000002
【特許請求の範囲】
【請求項１】
複数の光信号のうち選択されたものを電気信号に変換して出力する光−電気変換出力装置であって、
前記各光信号のうち対応するものが供給され、供給された光信号を電気信号に変換して出力する複数の光電変換手段と、
これら光電変換手段からの前記電気信号が供給される１つの出力端子と、
前記各光電変換手段に対する電源と、
前記各光電変換手段と前記電源との間に介在し、前記各光電変換手段のうち選択された１つのものに前記電源を接続する選択手段とを、
具備する光−電気変換出力装置。
【請求項２】
請求項１記載の光―電気変換出力装置であって、前記各光信号のうち１つが主系統の光信号であって、他の前記光信号が予備系統の光信号である光−電気変換出力装置。
【請求項３】
請求項１記載の光−電気変換出力装置であって、前記全光信号が異なる系統の光信号である光−電気変換出力装置。
【請求項４】
請求項１記載の光−電気変換出力装置であって、前記各光信号はそれぞれ異なる光伝送回路から分岐されたものである光−電気変換出力装置。
【発明の詳細な説明】
【技術分野】
【０００１】
本発明は、複数の光信号のうち選択されたものを電気信号に変換して、出力する光−電気変換出力装置に関する。
【背景技術】
【０００２】
従来、上記の光−電気変換出力装置は、例えば主系統の光信号に障害が生じた場合、予備系統の光信号に切換えて、これを電気信号に変換する場合に使用されることがある。この例が特許文献１に開示されている。特許文献１では、複数の光スプリッタの一方の入力端には、主系統の光増幅器からの光信号が供給されている。また、各スプリッタの他方の入力には、予備系統の光増幅器からの光信号が、光選択スイッチを介して供給されている。光選択スイッチは、予備系統の光増幅器からの光信号を、選択された１つの光スプリッタに供給する。主系統いずれかの光増幅器が故障した場合には、その故障した光増幅器から光信号が供給されていた光スプリッタには、光選択スイッチを介して光信号が供給される。
【０００３】
【特許文献１】特開平１１−２７５００８号公報
【発明の開示】
【発明が解決しようとする課題】
【０００４】
この特許文献１の技術によれば、主系統の光増幅器が故障した場合でも、予備系統の光増幅器からの光信号が供給されるので、システムの信頼性が高い。しかし、光選択スイッチを使用しなければならないので、コストが高くなる。
【０００５】
本発明は、光選択スイッチのような光信号自体を処理するために高コストとなる機器を使用せずに、複数の光信号のうち選択されたものを電気信号に変換して出力することができる光−電気変換出力装置を提供することを目的とする。
【課題を解決するための手段】
【０００６】
本発明の一態様の光−電気変換出力装置は、複数の光信号のうち選択されたものを電気信号に変換して出力する。この光−電気変換出力装置は、前記各光信号がそれぞれに供給される複数の光電変換手段を有している。これら光電変換手段は、供給された光信号を電気信号に変換して出力する。これら光電変換手段からの前記電気信号が１つの出力端子に供給される。各光電変換手段に対する電源が設けられている。各光電変換手段と前記電源との間に選択手段が介在し、前記各光電変換手段のうち選択された１つのものに前記電源を接続する。
【０００７】
このように構成した光−電気変換出力装置では、選択手段によって選択された光電変換手段のみが電源に接続されて動作し、出力端子に電気信号を供給する。即ち、複数の光信号のうち選択されたもののみが電気信号に変換されて、出力される。しかも、電気信号に変換される光信号の選択は、動作させる光電変換手段の選択によって行われ、高価な光選択スイッチを使用していない。
【０００８】
各光信号のうち１つが主系統の光信号とすることができる。この場合、他の光信号は予備系統の光信号である。このように構成すると、例えば主系統の光信号が何らかの理由で供給されなくなっても、選択手段によって他の予備の光信号を受けている光電変換手段を動作させることによって、継続して電気信号を出力端子に供給することができる。
【０００９】
全光信号を異なる系統の光信号とすることもできる。このように構成すると、複数の光信号のうち所望のものを選択して、出力端子に出力することができる。
【００１０】
前記各光信号はそれぞれ異なる光伝送回路から分岐されたものにすることができる。このように構成すると、選択手段によって光電変換手段を順に動作させることによって、各光信号を変換した電気信号を順に得ることができ、各光信号をモニターすることができる。
【発明の効果】
【００１１】
以上のように、本発明によれば、光選択スイッチを使用せずに、光信号のうち所望のものを電気信号に変換して、出力することができる。
【発明を実施するための最良の形態】
【００１２】
本発明の第１の実施形態の光−電気変換出力装置では、図１に示すように、複数の光伝送回路、例えば３本の光ファイバー２ａ、２ｂ、２ｃが敷設されている。これら光ファイバー２ａ、２ｂ、２ｃによって、光信号、例えば共同受信システムにおける光テレビジョン放送信号が伝送されている。これら光テレビジョン放送信号は、それぞれ内容の異なるものである。
【００１３】
これら光ファイバー２ａ、２ｂ、２ｃの中途には、光カプラ４ａ、４ｂ、４ｃが設けられている。光カプラー４ａ、４ｂ、４ｃによって分岐された光テレビジョン放送信号が、それぞれに対応する光電変換手段、例えば光電変換器６ａ、６ｂ、６ｃに供給されている。
【００１４】
光電変換器６ａは、受光素子、例えばフォトダイオード８ａを有し、これに光テレビジョン放送信号が供給されている。フォトダイオード８ａのアノードは、負荷１０ａを介して基準電位、例えば接地電位に接続されている。他の光電変換器６ｂ、６ｃにおいても、同様にフォトダイオード８ｂ、８ｃ及び負荷１０ｂ、１０ｃが接続されている。
【００１５】
各フォトダイオード８ａ、８ｂ、８ｃのカソードは、選択手段、例えば切換スイッチ１２の各接点１２ａ、１２ｂ、１２ｃに接続されている。切換スイッチ１２は、更に接触子１２ｄを有し、これは、各接点１２ａ、１２ｂ、１２ｃのうち選択された１つに接続される。
【００１６】
この接触子１２ｄは、各光電変換器６ａ、６ｂ、６ｃに対する逆バイアス印加電源である電源装置１４の正極に接続されている。電源装置１４の負極は接地電位に接続されている。従って、接触子１２ｄが接触している接点に接続されているフォトダイオードのみが動作し、動作したフォトダイオードと直列に接続されている負荷の両端間に、光テレビジョン放送信号を変換した電気信号、例えばテレビジョン放送信号が発生する。
【００１７】
各負荷１０ａ、１０ｂ、１０ｃのいずれかに発生したテレビジョン放送信号は、増幅器１６によって増幅された後、１つの出力端子１８に供給される。
【００１８】
従って、切換スイッチ１２の接触子１２ｄを接点１２ａ、１２ｂ、１２ｃに順に切換えることによって、各光テレビジョン放送信号を変換したテレビジョン放送信号が、出力端子１８に順に生じる。よって、この光−電気変換出力装置を、例えば共同受信装置のヘッドエンドに設置することによって、ヘッドエンドに入力される各光テレビジョン放送信号をモニターするモニター装置として、光−電気変換出力装置を使用することができる。
【００１９】
或いは、共同受信装置のヘッドエンドにおいて、例えば各光ファイバー２ａ乃至２ｃによって伝送される光テレビジョン放送信号を同一のものとし、例えば光ファイバー２ａを主系統とし、光ファイバー２ｂ、２ｃを予備系統とし、常時、切換スイッチ１２の接触子１２ｄを接点１２ａに接続しておき、光ファイバー２ａでの光テレビジョン放送信号を出力端子１８から出力している状態において、光ファイバー２ａでの伝送がなんらかの理由で途絶した場合、接触子１２ｄを接点１２ｂまたは１２ｃに切換えることによって、ごくわずかな中断だけで、継続して光テレビジョン放送信号を変換したテレビジョン放送信号を出力端子１８から出力することができる。
【００２０】
或いは、共同受信装置のヘッドエンドにおいて、各光ファイバー１２ａ、１２ｂ、１２ｃで伝送される光テレビジョン放送信号の内容を異なったものとし、出力端子１８から１つのテレビジョン放送信号を各端末装置に伝送するような場合にも、切換スイッチ１２の接触子を切換えることによって、各端末装置に伝送するテレビジョン放送信号を順に切換えることができる。
【００２１】
第２の実施形態の光−電気変換出力装置を図２に示す。この光−電気変換出力装置は、各フォトダイオード８ａ、８ｂ、８ｃに対して共通の１つの負荷１０を使用している点が、第１の実施形態と異なる。他の構成は、第１の実施形態と同一である。同一部分には同一符号を付して、その説明を省略する。
【００２２】
上記の両実施形態では、負荷１０ａ、１０ｂ、１０ｃ、１０は、接地電位とフォトダイオード８ａ、８ｂ、８ｃの間に設けたが、逆にフォトダイオード８ａ、８ｂ、８ｃを接地電位と負荷１０ａ、１０ｂ、１０ｃ、１０との間に設けることも可能である。また、上記の両実施形態では、受光素子としてフォトダイオードを使用したが、他にフォトトランジスタを使用することもできる。また、増幅器１６を設けたが、場合によっては不要である。また、上記の両実施形態では、切換スイッチ１２を機械的なスイッチとして示したが、例えば制御信号に従って切換えられる電子切換スイッチを使用することもできる。この場合、切換は遠隔操作によって行うことができる。
【図面の簡単な説明】
【００２３】
【図１】本発明の第１の実施形態の光−電気変換出力装置のブロック図である。
【図２】本発明の第２の実施形態の光−電気変換出力装置のブロック図である。
【符号の説明】
【００２４】
２ａ乃至２ｃ  光ファイバー（光伝送路）
６ａ乃至６ｃ  光電変換器（光電変換手段）
８ａ乃至８ｃ  フォトダイオード
１０、１０ａ乃至１０ｃ  負荷
１２  切換スイッチ（選択手段）
１４  バッテリー（電源）
１８  出力端子
【図１】
2007110285.tif 000003
【図２】
2007110285.tif 000004